(57)【要約】【課題】複数の画像群内の画像データから記録対象の画像データを自動的に分類して記録媒体に記録することである。【解決手段】撮影装置１Ａ，１Ｂ，１Ｃにより撮影された少なくとも１つの画像データからなる各画像群がそれぞれ、メモリカードａ，ｂ，ｃに記録されている。画像データ記録装置２により、メモリカードａ，ｂ，ｃに記録された画像データが、各画像データ内の撮影日時データに基づいて、記録対象の画像データと記録対象でない画像データとに自動的に分類される。そして分類された記録対象の画像データが記録媒体としてのＣＤ−Ｒ４に記録される。【選択図】  図１
2004201113.tif 000002
【特許請求の範囲】
【請求項１】
少なくとも１つの画像データを有する画像群が複数あり、その複数の画像群内の画像データを分類して記録媒体に記録する画像データ記録装置であって、
前記複数の画像群内の画像データを、記録対象の画像データと記録対象でない画像データとに分類する分類手段と、
前記分類手段により分類された記録対象の画像データを前記記録媒体に記録する記録手段を備えることを特徴とする画像データ記録装置。
【請求項２】
前記画像データは、日時データを有し、
前記分類手段は、前記複数の画像群内の画像データの日時データに基づいて、その複数の画像群内の画像データを、記録対象の画像データと記録対象でない画像データとに分類することを特徴とする請求項１に記載の画像データ記録装置。
【請求項３】
前記分類手段は、前記複数の画像群内の画像データの画像イメージを解析し、その解析結果に基づいて、その複数の画像群内の画像データを、記録対象の画像データと記録対象でない画像データとに分類することを特徴とする請求項１又は２に記載の画像データ記録装置。
【請求項４】
前記画像群は、各画像データが記録対象であるか否かを示す記録要否データを有し、
前記分類手段は、前記複数の画像群内の画像データの記録要否データに基づいて、その複数の画像群内の画像データを、記録対象の画像データと記録対象でない画像データとに分類することを特徴とする請求項１から３のいずれか一項に記載の画像データ記録装置。
【請求項５】
前記分類手段により分類された記録対象の画像データ及び記録対象でない画像データのいずれか一方又は両方を表示する表示手段と、
前記表示手段に表示された画像データに基づいて、実際に記録する記録実行対象の画像データを選択入力させる第１の入力手段とを備え、
前記記録手段は、前記第１の入力手段により選択入力された記録実行対象の画像データを前記記録媒体に記録することを特徴とする請求項１から４のいずれか一項に記載の画像データ記録装置。
【請求項６】
画像データを分類するための基準となる基準情報を入力させる第２の入力手段を備え、
前記分類手段は、前記第２の入力手段により入力された基準情報に基づいて、前記複数の画像群内の画像データを、記録対象の画像データと記録対象でない画像データとに分類することを特徴とする請求項１から５のいずれか一項に記載の画像データ記録装置。
【請求項７】
被写体を撮影してその画像データを出力する撮影手段と、
前記撮影手段により撮影された画像データが第２の記録媒体に記録を要するか否かを示す記録要否データを選択入力させる入力手段と、
前記撮影手段により撮影された画像データに、前記入力手段により選択入力された記録要否データを付加する付加手段と、
前記付加手段により記録要否データが付加された画像データを第１の記録媒体に記録する記録手段とを備えることを特徴とする撮影装置。
【請求項８】
少なくとも１つの画像データを有する画像群が複数あり、その複数の画像群内の画像データを分類して記録媒体に記録する画像データ記録方法であって、
前記複数の画像群内の画像データを、記録対象の画像データと記録対象でない画像データとに分類する分類工程と、
前記分類された記録対象の画像データを前記記録媒体に記録する記録工程とを含むことを特徴とする画像データ記録方法。
【請求項９】
前記画像データは、日時データを有し、
前記分類工程において、前記複数の画像群内の画像データの日時データに基づいて、その複数の画像群内の画像データを、記録対象の画像データと記録対象でない画像データとに分類することを特徴とする請求項８に記載の画像データ記録方法。
【請求項１０】
前記分類工程において、前記複数の画像群内の画像データの画像イメージを解析し、その解析結果に基づいて、その複数の画像群内の画像データを、記録対象の画像データと記録対象でない画像データとに分類することを特徴とする請求項８又は９に記載の画像データ記録方法。
【請求項１１】
前記画像群は、各画像データが記録対象であるか否かを示す記録要否データを有し、
前記分類工程において、前記複数の画像群内の画像データの記録要否データに基づいて、その複数の画像群内の画像データを、記録対象の画像データと記録対象でない画像データとに分類することを特徴とする請求項８から１０のいずれか一項に記載の画像データ記録方法。
【請求項１２】
前記分類された記録対象の画像データ及び記録対象でない画像データのいずれか一方又は両方を表示する表示工程と、
前記表示された画像データに基づいて、実際に記録する記録実行対象の画像データを選択入力させる第１の入力工程とを含み、
前記記録工程において、前記選択入力された記録実行対象の画像データを前記記録媒体に記録することを特徴とする請求項８から１１のいずれか一項に記載の画像データ記録方法。
【請求項１３】
画像データを分類するための基準となる基準情報を入力させる第２の入力工程を含み、
前記分類工程は、前記入力された基準情報に基づいて、前記複数の画像群内の画像データを、記録対象の画像データと記録対象でない画像データとに分類することを特徴とする請求項８から１２のいずれか一項に記載の画像データ記録方法。
【請求項１４】
被写体を撮影して画像データを出力する工程と、
前記撮影された画像データが第２の記録媒体に記録を要するか否かを示す記録要否データを選択入力させる工程と、
前記撮影された画像データに、前記選択入力された記録要否データを付加する工程と、
前記記録要否データが付加された画像データを第１の記録媒体に記録する工程とを含むことを特徴とする画像データ記録方法。
【請求項１５】
コンピュータに、
少なくとも１つの画像データを有する画像群が複数あり、その複数の画像群内の画像データを、記録対象の画像データと記録対象でない画像データとに分類する分類機能と、
前記分類された記録対象の画像データを記録媒体に記録する記録機能とを実現させるための画像データ記録プログラム。
【請求項１６】
前記画像データは、日時データを有し、
前記分類機能は、前記複数の画像群内の画像データの日時データに基づいて、その複数の画像群内の画像データを、記録対象の画像データと記録対象でない画像データとに分類することを特徴とする請求項１５に記載の画像データ記録プログラム。
【請求項１７】
前記分類機能は、前記複数の画像群内の画像データの画像イメージを解析し、その解析結果に基づいて、その複数の画像群内の画像データを、記録対象の画像データと記録対象でない画像データとに分類することを特徴とする請求項１５又は１６に記載の画像データ記録プログラム。
【請求項１８】
前記画像群は、各画像データが記録対象であるか否かを示す記録要否データを有し、
前記分類機能は、前記複数の画像群内の画像データの記録要否データに基づいて、その複数の画像群内の画像データを、記録対象の画像データと記録対象でない画像データとに分類することを特徴とする請求項１５から１７のいずれか一項に記載の画像データ記録プログラム。
【請求項１９】
前記コンピュータに、
前記分類された記録対象の画像データ及び記録対象でない画像データのいずれか一方又は両方を表示する表示機能と、
前記表示された画像データに基づいて、実際に記録する記録実行対象の画像データを選択入力させる第１の入力機能とを実現させ、
前記記録機能は、前記選択入力された記録実行対象の画像データを前記記録媒体に記録することを特徴とする請求項１５から１８のいずれか一項に記載の画像データ記録プログラム。
【請求項２０】
前記コンピュータに、
画像データを分類するための基準となる基準情報を入力させる第２の入力機能を実現させ、
前記分類機能は、前記入力された基準情報に基づいて、前記複数の画像群内の画像データを、記録対象の画像データと記録対象でない画像データとに分類することを特徴とする請求項１５から１９のいずれか一項に記載の画像データ記録プログラム。
【請求項２１】
コンピュータに、
被写体を撮影して画像データを出力する機能と、
前記撮影された画像データが第２の記録媒体に記録を要するか否かの記録要否データを選択入力させる機能と、
前記撮影された画像データに、前記選択入力された記録要否データを付加する機能と、
前記記録要否データが付加された画像データを第１の記録媒体に記録する機能とを実現させるための画像データ記録プログラム。
【発明の詳細な説明】
【０００１】
【発明の属する技術分野】
本発明は、画像データを記録する画像データ記録装置、画像データ記録方法及び画像データ記録プログラム並びに画像データを撮影する撮影装置に関する。
【０００２】
【従来の技術】
従来、ＤＳＣ（デジタルスチルカメラ）等により撮影された複数の画像データを分類する方式がいくつか考えられている。その中の１つの方式は、画像データの画像イメージの色、周波数、登録日時、撮影日時、データベース上の保存場所等の情報の類似度が高い順に画像データを分類するものである。また、ユーザにより指定された画像データイメージ上の位置の周辺の画像特性により、画像データを分類する。これらの分類により、画像データのすばやい閲覧を可能とする（例えば、特許文献１参照）。
【０００３】
また、他の１つの方式は、画像データの特徴を示す特徴量をその画像データとともにデータベースに保存し、その特徴量により画像データを分類するものである。その分類された画像データを検索することを可能とする。特徴量とは、画像の取得日時、画像データのデータベースへの登録日時、撮影場所、撮影された被写体の名称、撮影が行われたイベントの名称のデータ等である（例えば、特許文献２参照）。
【０００４】
更に、他の１つの方式は、画像データイメージを解析して、被写体が人物の画像データであるか否かの識別により、画像データを分類する方式ものである（例えば、特許文献３参照）。
【０００５】
また、出願人等が公然と実施していたものの特許出願等による開示はされていないが、従来、複数のメモリカード（ＤＳＣ等の記録メディアとしてのメモリカード）に記録された画像データを一括して全て、１つの記録媒体（例えば、ＣＤ−Ｒ）に記録する画像データ記録装置があった。また、複数のメモリカードに記録された画像データを一旦表示して、ユーザが選択した画像データのみを１つの記録媒体に記録する画像データ記録装置があった。
【０００６】
【特許文献１】
特開２００１−２７６４８４号公報（第９−１１頁）
【特許文献２】
特開２００１−２９７０９０号公報（第７頁）
【特許文献３】
特開２００１−３５７０６７号公報（第５〜９頁、図２〜図５）
【０００７】
【発明が解決しようとする課題】
しかし、複数のメモリカードに記録された画像データを一括して全て１つの記録媒体に記録する方式では、ユーザが必要な画像データを選択する手間がかからないが、メモリカードに記録されていた不必要な画像データまで記録してしまっていた。
【０００８】
例えば、複数の撮影者が旅行に行き、旅行後、各撮影者が旅行中に撮影したＤＳＣのメモリカードを持ち寄り、各メモリカードの内の、旅行中に撮影された画像データを１枚のＣＤ−Ｒ（Compact Disk- Recordable）に記録して、全撮影者がそのＣＤ−Ｒを共有するケースが考えられる。その際、あるメモリカードに、旅行以前及び以後に撮影された画像データが存在する場合がある。その不必要な旅行以前及び以後の画像データもＣＤ−Ｒに記録していた。
【０００９】
また、各メモリカードを所有する撮影者が異なる場合に、ある撮影者が他人に見せたくない不必要な画像データも記録媒体に記録されて、他の人に見られてしまう可能性があった。また、一般的に画像データは容量が大きいので、不必要な画像データが記録される記録容量の無駄も大きい。
【００１０】
ここで、必要な画像データとは、記録媒体への記録対象である画像データを意味する。また、不必要なデータとは、記録媒体への記録対象でない画像データを意味する。また、各メモリカードには少なくとも１つの画像データが記録される。ここで、各メモリカードに相当する、少なくとも１つの画像データを有するグループを画像群とする。
【００１１】
また、複数のメモリカードに記録された画像データを一旦表示して、ユーザが選択した画像データのみを１つの記録媒体に記録する方式では、ユーザが全ての画像データを確認して必要な画像を選択する手間が煩わしいという問題があった。特に、昔に比べて記録媒体の記録容量は高くなっており、記録される画像データ数も多いため、その選択は困難な作業となっている。
【００１２】
また、特許文献１、特許文献２及び特許文献３には、画像データの分類方式が記載されているのみであり、複数の画像群中の画像データを記録媒体に記録する点と、画像データがその記録の対象であるか否かという点とが考慮されていない。
【００１３】
本発明の課題は、複数の画像群内の画像データから記録対象の画像データを自動的に分類して記録媒体に記録することである。
【００１４】
【課題を解決するための手段】
請求項１に記載の発明は、
少なくとも１つの画像データを有する画像群が複数あり、その複数の画像群内の画像データを分類して記録媒体に記録する画像データ記録装置であって、
前記複数の画像群内の画像データを、記録対象の画像データと記録対象でない画像データとに分類する分類手段と、
前記分類手段により分類された記録対象の画像データを前記記録媒体に記録する記録手段を備えることを特徴とする。
【００１５】
画像データとは、静止画及び動画のいずれか一方又は両方の画像データである。
【００１６】
請求項２に記載の発明は、請求項１に記載の画像データ記録装置において、
前記画像データは、日時データを有し、
前記分類手段は、前記複数の画像群内の画像データの日時データに基づいて、その複数の画像群内の画像データを、記録対象の画像データと記録対象でない画像データとに分類することを特徴とする。
【００１７】
請求項３に記載の発明は、請求項１又は２に記載の画像データ記録装置において、
前記分類手段は、前記複数の画像群内の画像データの画像イメージを解析し、その解析結果に基づいて、その複数の画像群内の画像データを、記録対象の画像データと記録対象でない画像データとに分類することを特徴とする。
【００１８】
請求項４に記載の発明は、請求項１から３のいずれか一項に記載の画像データ記録装置において、
前記画像群は、各画像データが記録対象であるか否かを示す記録要否データを有し、
前記分類手段は、前記複数の画像群内の画像データの記録要否データに基づいて、その複数の画像群内の画像データを、記録対象の画像データと記録対象でない画像データとに分類することを特徴とする。
【００１９】
請求項５に記載の発明は、請求項１から４のいずれか一項に記載の画像データ記録装置において、
前記分類手段により分類された記録対象の画像データ及び記録対象でない画像データのいずれか一方又は両方を表示する表示手段と、
前記表示手段に表示された画像データに基づいて、実際に記録する記録実行対象の画像データを選択入力させる第１の入力手段とを備え、
前記記録手段は、前記第１の入力手段により選択入力された記録実行対象の画像データを前記記録媒体に記録することを特徴とする。
【００２０】
請求項６に記載の発明は、請求項１から５のいずれか一項に記載の画像データ記録装置において、
画像データを分類するための基準となる基準情報を入力させる第２の入力手段を備え、
前記分類手段は、前記第２の入力手段により入力された基準情報に基づいて、前記複数の画像群内の画像データを、記録対象の画像データと記録対象でない画像データとに分類することを特徴とする。
【００２１】
請求項７に記載の発明は、
被写体を撮影してその画像データを出力する撮影手段と、
前記撮影手段により撮影された画像データが第２の記録媒体に記録を要するか否かを示す記録要否データを選択入力させる入力手段と、
前記撮影手段により撮影された画像データに、前記入力手段により選択入力された記録要否データを付加する付加手段と、
前記付加手段により記録要否データが付加された画像データを第１の記録媒体に記録する記録手段とを備える撮影装置であることを特徴とする。
【００２２】
請求項８に記載の発明は、
少なくとも１つの画像データを有する画像群が複数あり、その複数の画像群内の画像データを分類して記録媒体に記録する画像データ記録方法であって、
前記複数の画像群内の画像データを、記録対象の画像データと記録対象でない画像データとに分類する分類工程と、
前記分類された記録対象の画像データを前記記録媒体に記録する記録工程とを含むことを特徴とする。
【００２３】
請求項９に記載の発明は、請求項８に記載の画像データ記録方法において、
前記画像データは、日時データを有し、
前記分類工程において、前記複数の画像群内の画像データの日時データに基づいて、その複数の画像群内の画像データを、記録対象の画像データと記録対象でない画像データとに分類することを特徴とする。
【００２４】
請求項１０に記載の発明は、請求項８又は９に記載の画像データ記録方法において、
前記分類工程において、前記複数の画像群内の画像データの画像イメージを解析し、その解析結果に基づいて、その複数の画像群内の画像データを、記録対象の画像データと記録対象でない画像データとに分類することを特徴とする。
【００２５】
請求項１１に記載の発明は、請求項８から１０のいずれか一項に記載の画像データ記録方法において、
前記画像群は、各画像データが記録対象であるか否かを示す記録要否データを有し、
前記分類工程において、前記複数の画像群内の画像データの記録要否データに基づいて、その複数の画像群内の画像データを、記録対象の画像データと記録対象でない画像データとに分類することを特徴とする。
【００２６】
請求項１２に記載の発明は、請求項８から１１のいずれか一項に記載の画像データ記録方法において、
前記分類された記録対象の画像データ及び記録対象でない画像データのいずれか一方又は両方を表示する表示工程と、
前記表示された画像データに基づいて、実際に記録する記録実行対象の画像データを選択入力させる第１の入力工程とを含み、
前記記録工程において、前記選択入力された記録実行対象の画像データを前記記録媒体に記録することを特徴とする。
【００２７】
請求項１３に記載の発明は、請求項８から１２のいずれか一項に記載の画像データ記録方法において、
画像データを分類するための基準となる基準情報を入力させる第２の入力工程を含み、
前記分類工程は、前記入力された基準情報に基づいて、前記複数の画像群内の画像データを、記録対象の画像データと記録対象でない画像データとに分類することを特徴とする。
【００２８】
請求項１４に記載の発明は、
被写体を撮影して画像データを出力する工程と、
前記撮影された画像データが第２の記録媒体に記録を要するか否かを示す記録要否データを選択入力させる工程と、
前記撮影された画像データに、前記選択入力された記録要否データを付加する工程と、
前記記録要否データが付加された画像データを第１の記録媒体に記録する工程とを含む画像データ記録方法であることを特徴とする。
【００２９】
請求項１５に記載の発明は、
コンピュータに、
少なくとも１つの画像データを有する画像群が複数あり、その複数の画像群内の画像データを、記録対象の画像データと記録対象でない画像データとに分類する分類機能と、
前記分類された記録対象の画像データを記録媒体に記録する記録機能とを実現させるための画像データ記録プログラムであることを特徴とする。
【００３０】
請求項１、８又は１５に記載の発明によれば、複数の画像群内の画像データを、記録対象の画像データと記録対象でない画像データとに分類して、分類された記録対象の画像データを記録媒体に記録する。このため、複数の画像群から記録対象の画像データを自動的に分類して記録媒体に記録することができる。従って、記録対象でない画像データを無駄に記録媒体に記録することを防ぐことができる。また、画像データを自動的に分類するので、画像データの分類作業の負担を軽減し、分類作業時間を短縮することができる。
【００３１】
請求項１６に記載の発明は、請求項１５に記載の画像データ記録プログラムにおいて、
前記画像データは、日時データを有し、
前記分類機能は、前記複数の画像群内の画像データの日時データに基づいて、その複数の画像群内の画像データを、記録対象の画像データと記録対象でない画像データとに分類することを特徴とする。
【００３２】
請求項２、９又は１６に記載の発明によれば、複数の画像群内の画像データの日時データに基づいて、その複数の画像群内の画像データを、記録対象の画像データと記録対象でない画像データとに分類する。このため、日時データに基づいて記録対象の画像データを正確に分類して記録媒体に記録することができる。
【００３３】
請求項１７に記載の発明は、請求項１５又は１６に記載の画像データ記録プログラムにおいて、
前記分類機能は、前記複数の画像群内の画像データの画像イメージを解析し、その解析結果に基づいて、その複数の画像群内の画像データを、記録対象の画像データと記録対象でない画像データとに分類することを特徴とする。
【００３４】
請求項３、１０又は１７に記載の発明によれば、複数の画像群内の画像データの画像イメージの解析結果に基づいて、その複数の画像群内の画像データを、記録対象の画像データと記録対象でない画像データとに分類する。このため、画像データに情報を付加しなくとも、その画像イメージの解析結果に基づいて記録対象の画像データを正確に分類して記録媒体に記録することができる。
【００３５】
請求項１８に記載の発明は、請求項１５から１７のいずれか一項に記載の画像データ記録プログラムにおいて、
前記画像群は、各画像データが記録対象であるか否かを示す記録要否データを有し、
前記分類機能は、前記複数の画像群内の画像データの記録要否データに基づいて、その複数の画像群内の画像データを、記録対象の画像データと記録対象でない画像データとに分類することを特徴とする。
【００３６】
請求項４、１１又は１８に記載の発明によれば、複数の画像群内の画像データの記録要否データに基づいて、その複数の画像群内の画像データを、記録対象の画像データと記録対象でない画像データとに分類する。このため、記録要否データに基づいて記録対象の画像データを正確に分類して記録媒体に記録することができる。
【００３７】
請求項１９に記載の発明は、請求項１５から１８のいずれか一項に記載の画像データ記録プログラムにおいて、
前記コンピュータに、
前記分類された記録対象の画像データ及び記録対象でない画像データのいずれか一方又は両方を表示する表示機能と、
前記表示された画像データに基づいて、実際に記録する記録実行対象の画像データを選択入力させる第１の入力機能とを実現させ、
前記記録機能は、前記選択入力された記録実行対象の画像データを前記記録媒体に記録することを特徴とする。
【００３８】
請求項５、１２又は１９に記載の発明によれば、分類された記録対象の画像データ及び記録対象でない画像データのいずれか一方又は両方を表示し、その表示された画像データに基づいて記録実行対象の画像データを選択入力させ、その記録実行対象の画像データを記録媒体に記録する。このため、自動的に分類された画像データに基づいて記録実行対象の画像データを容易に選択して記録媒体に記録することができる。
【００３９】
請求項２０に記載の発明は、請求項１５から１９のいずれか一項に記載の画像データ記録プログラムにおいて、
前記コンピュータに、
画像データを分類するための基準となる基準情報を入力させる第２の入力機能を実現させ、
前記分類機能は、前記入力された基準情報に基づいて、前記複数の画像群内の画像データを、記録対象の画像データと記録対象でない画像データとに分類することを特徴とする。
【００４０】
請求項６、１３又は２０に記載の発明によれば、基準情報を入力させ、その基準情報に基づいて、その複数の画像群内の画像データを、記録対象の画像データと記録対象でない画像データとに分類する。このため、任意に基準情報を入力でき、その基準情報に基づいて記録対象の画像データを記録媒体に記録することができる。
【００４１】
請求項２１に記載の発明は、
コンピュータに、
被写体を撮影して画像データを出力する機能と、
前記撮影された画像データが第２の記録媒体に記録を要するか否かの記録要否データを選択入力させる機能と、
前記撮影された画像データに、前記選択入力された記録要否データを付加する機能と、
前記記録要否データが付加された画像データを第１の記録媒体に記録する機能とを実現させるための画像データ記録プログラムであることを特徴とする。
【００４２】
請求項７、１４又は２１に記載の発明によれば、被写体を撮影し、その撮影された画像データが第２の記録媒体に記録を要するか否かを示す記録要否データを選択入力させ、撮影された画像データに、選択入力された記録要否データを付加し、その記録要否データが付加された画像データを第１の記録媒体に記録する。このため、第１の記録媒体に記録された画像データを分類して第２の記録媒体に記録するにあたり、第１の記録媒体に記録された画像データに付加された記録要否データに基づいて、第１の記録媒体に記録された画像データを、記録対象の画像データと記録対象でない画像データとに正確に分類し、分類された記録対象の画像データを第２の記録媒体に記録することができる。
【００４３】
【発明の実施の形態】
以下、添付図面を参照して、本発明に係る第１の実施の形態及び第２の実施の形態を順に説明する。
【００４４】
（第１の実施の形態）
図１〜図５を参照して本発明に係る第１の実施の形態を説明する。先ず、図１及び図２を参照して本実施の形態の装置の特長を説明する。図１は、本実施の形態の画像データ記録システムαを示す概略図である。図２は、図１に示す画像データ記録システムαの画像データ記録装置２の内部構成を示すブロック図である。
【００４５】
図１に示すように、本実施の形態に係る画像データ記録システムαは、被写体の静止画のデジタル画像データが撮影されるＤＳＣ等の撮影装置１Ａ，１Ｂ，１Ｃと、撮影装置１Ａ，１Ｂ，１Ｃそれぞれにセットされて、撮影された画像データが記録されるメモリカードａ，ｂ，ｃと、メモリカードａ，ｂ，ｃに記録された画像データを分類して、記録媒体としてのＣＤ−Ｒ４に記録する画像データ記録装置２とを備える。
【００４６】
撮影装置１Ａ，１Ｂ，１Ｃは、異なる３人の撮影者がそれぞれ所有及び撮影するものとする。そして、メモリカードａ，ｂ，ｃにはそれぞれ、少なくとも１枚の撮影された画像データが記録される。各メモリカードａ，ｂ，ｃに記録された画像データをそれぞれ１グループにして画像群とする。
【００４７】
画像データ記録装置２は、例えば、コンビニエンスストアや、写真店等に設置される。しかし、複数人で操作をすることを考慮して、複数人で利用することが多いファミリーレストランや、カラオケ店、居酒屋等に設置されてもよいが、これらの場所に限られるものではない。
【００４８】
メモリカードａ，ｂ，ｃは、小型メモリカードで構成される記録メディアであり、画像データ記録装置２でデータを読み書きするためのアダプタを含んでもよい。
【００４９】
また、記録媒体として本実施の形態では、画像データを基本的に一度記録可能で再生可能なＣＤ−Ｒ４を採用するが、これに限るものではない。例えば、ＣＤ−ＲＷ、フレキシブルディスク、ＭＯ（Magneto Optical disk）、ＤＶＤ（Digital Versatile Disk）、ＤＶＤ−Ｒ、ＤＶＤ−ＲＡＭ、ＤＶＤ±ＲＷ、青紫色レーザを用いる次世代高密度記録媒体、可搬式ＨＤ（ハードディスク）等でもよい。
【００５０】
図２に示すように、画像データ記録装置２は、各部の中央制御を行うＣＰＵ（Central Processing Unit）２１と、情報を一時的に格納するＲＡＭ及び情報を読み出し可能に記憶するＲＯＭ等からなるメモリ２２と、情報の読み書きが可能な固定式のＨＤＤ（ハードディスクドライブ）２３と、操作者からの入力情報を受付ける入力手段２４と、情報を表示する表示手段２５と、各種周辺機器等を接続するＵＳＢ（Universal Serial Bus）ポート等の接続手段２６と、無線ＬＡＮ（Local Area Network）等の通信を行う通信手段２７と、ＣＤ−Ｒ４に記録された情報の再生及び情報の記録を行う記録手段２８と、ＵＳＢポート等の接続手段２９と、メモリカードａ，ｂ，ｃがセットされその情報の読み書きを行うスロット手段３０と、各部が接続及び搭載されるマザーボード３１とを備える。
【００５１】
ＨＤＤ２３には、画像データ記録処理を実行するための画像データ記録プログラムが記録されている。また、画像データ記録装置２は、ＣＰＵ２１がＨＤＤ２３に記憶された画像データ記録プログラムを読み出してメモリ２２のＲＡＭに展開して実行することにより、画像データ記録処理が実行される。この実行構成において、図２に示すように、画像データ記録処理中の画像データを分類する機能を実現する分類手段２１１が、画像データ記録装置２に構成されているものとして説明する。なお、分類手段２１１は、ソフトウェア的に実現される構成であるが、ハードウェアとして搭載される構成でもよい。
【００５２】
ＣＰＵ２１は、ＨＤＤ２３に記憶されているシステムプログラム及び各種アプリケーションプログラムの中から指定されたアプリケーションプログラムを読み出してメモリ２２（のＲＡＭ）内に展開する。そして、ＣＰＵ２１は、入力手段２４から入力される各種指示又はそれに応じた各種データをメモリ２２（のＲＡＭ）内に一時的に格納し、この入力指示及び入力データを用いて前記展開されたアプリケーションプログラムに従って各種処理を実行する。そして、ＣＰＵ２１は、その処理結果をメモリ２２（のＲＡＭ）内に格納すると共に、表示手段２５に表示させる。
【００５３】
ＣＰＵ２１は、画像データ記録処理を実行する。ＣＰＵ２１は、画像データ記録処理の実行により、操作者から入力された指定日時データを入力手段２４により受付け、スロット手段３０にセットされたメモリデータａ，ｂ，ｃを自動認識し、前記入力された指定日時データに基づいて、メモリデータａ，ｂ，ｃの全画像データ５を記録対象の画像データと記録対象でない画像データとに分類する。そして、ＣＰＵ２１は、分類された記録対象の画像データを表示手段２５に表示させ、その表示に基づいて操作者から選択入力された記録実行対象の画像データを入力手段２４により受付け、その選択入力された記録実行対象の画像データをＣＤ−Ｒ４に記録する（図４参照）。
【００５４】
入力手段２４は、カーソルキー、数字入力キー及び各種機能キー等を備えたキーボードを含み、操作者によりキーボードで押下された押下信号をＣＰＵ２１に出力する。また、入力手段２４は、ポインティングデバイスとしてマウス等を含み、操作者により入力されたポインティングデバイスの位置信号をＣＰＵ２１に出力する構成でもよい。
【００５５】
表示手段２５は、ＬＣＤ（Liquid Crystal Display）を備えるが、ＣＲＴ（Cathode Ray Tube）、ＰＤＰ（Plasma Display Panel）又はＥＬ（Electro Luminescence）ディスプレイ等でもよく、ＣＰＵ２１から入力される表示指示に従って各種表示データの画面表示を行う。
【００５６】
ＨＤＤ２３は、各種アプリケーションプログラム及び各種データを読み書き可能に記憶する。本実施の形態においては、画像データ記録プログラムを記憶する。また、ＨＤＤ２３に記憶されたプログラム、データ等は、その一部若しくは全部を外部機器からＬＡＮ、ＷＡＮ（Wide Area Network）等の通信ネットワークを介して通信手段２７から受信して格納する構成にしてもよい。また、ＨＤＤ２３は通信ネットワーク上に構築された外部機器の記憶装置であってもよい。更に、前記各種プログラムを前記通信ネットワークを介して外部機器へ送信及びインストールする構成にしてもよい。
【００５７】
通信ネットワークは、例えば、無線ＬＡＮであるが、ＬＡＮ、ＷＡＮを含めてもよく、電話回線網、ＩＳＤＮ回線網、広帯域通信回線網、専用線、移動体通信網、通信衛星回線、ＣＡＴＶ回線、光通信回線、無線通信回線と、それらを接続するインターネットサービスプロバイダ等を含む構成でもよい。
【００５８】
なお、画像データ記録装置２は、本実施の形態において、１台の情報処理装置で構成している。しかし、例えば通信ネットワークを介した複数の機器を設置すること等により、各種機能を複数の機器で分散して実行する構成でもよい。この場合、各種機能を実行する負荷が分散される。
【００５９】
次に、図３を参照して、メモリカードａ，ｂ，ｃに記録された画像データの構成を説明する。図３は、画像データ５の構成を示す図である。各メモリカードａ，ｂ，ｃには、少なくとも１つの画像データ５が記録されている。
【００６０】
図３に示すように、各画像データ５は、実画像イメージのデータである画像実データ５１と、各画像実データ５１に付加される付加データとしてのＥｘｉｆ（Exchangeable Image File Format）データ５２とを含む。Ｅｘｉｆデータとしては、画像実データ５１の撮影日時データ等を有する。しかし、各画像実データ５１に付加される付加データは、Ｅｘｉｆデータに限られるものではなく、他の方式の付加データを用いてもよい。
【００６１】
次に、図４及び図５を参照して、画像データ記録装置２の動作としての画像データ記録処理を説明する。図４は、画像データ記録処理の流れを示す流れ図である。図５は、画像データ記録処理の処理結果の一例を示す図である。
【００６２】
画像データ記録処理の実行前に予め、撮影装置１Ａ，１Ｂ，１Ｃを用いて各撮影者により被写体が撮影され、各メモリカードａ，ｂ，ｃには、少なくとも１つの画像データが記録されているものとする。また、各メモリカードａ，ｂ，ｃに記録された画像データには、全撮影者に共通のイベントで撮影された画像データが含まれる。
【００６３】
画像データ記録処理は、入力手段２４から操作者により画像データ記録処理の実行開始が入力されたことをトリガとして、ＣＰＵ２１がＨＤＤ２３に記憶された画像データ記録プログラムを読み出してメモリ２２のＲＡＭに展開して実行される。
【００６４】
操作者とは、撮影者全員又はその中の１若しくは複数の所定の撮影者である。複数人の操作者で画像データ記録装置２を操作可能とするために、表示手段２５を複数人が閲覧可能な視角が広い等の構成としてもよい。更に、操作者は、撮影者とは別の者でもよいし、撮影者と別の者の組合せでもよい。
【００６５】
先ず、スロット手段３０にメモリカードａ，ｂ，ｃが同時にセットされる（ステップＳ１１）。そして、操作者から入力手段２４に、画像データの分類の基準となる指定日時データが入力される（ステップＳ１２）。指定日時データは、例えば、メモリカードａ，ｂ，ｃに共通して画像データが撮影されているイベントの日時とし、そのイベントで撮影された画像データをＣＤ−Ｒ４への記録対象とする。イベントとは、例えば、全撮影者が同行した旅行や、結婚式等の行事や、カラオケ等の遊び等の、全撮影者がそれぞれ少なくとも１枚の画像を撮影した共通のイベントである。そして、このイベントにおいて撮影された画像データをＣＤ−Ｒ４への記録対象の画像データと分類するものである。
【００６６】
そして、分類手段２１１により、スロット手段３０にセットされたメモリカードａ，ｂ，ｃから全画像データ５が読み出されてメモリ２２のＲＡＭに格納されて、自動的に認識される（ステップＳ１３）。
【００６７】
そして、分類手段２１１により、ステップＳ１２において認識された全画像データ５が、ＣＤ−Ｒ４への記録対象の画像データ５と、記録対象でない画像データとに自動的に分類される（ステップＳ１４）。具体的には、先ず、ステップＳ１３において、画像データ５のＥｘｉｆデータ５２内の全画像データ５１内の撮影日時データが読み出される。そして、ステップＳ１４において、全画像データ５１のうち、ステップＳ１２で入力された指定日時データから所定の範囲内（イベント日時範囲）の撮影日時データを有する画像データ５が記録対象の画像データ５とされ、指定日時データから所定の範囲外（イベント日時より前又は後）の撮影日時データを有する画像データ５が記録対象でない画像データ５とされて分類される。
【００６８】
そして、ステップＳ１４において分類された記録対象の画像データ５のみが表示手段２５により表示される（ステップＳ１５）。そして、操作者は、表示手段２５に表示された記録対象の画像データ５を参照して、実際にＣＤ−Ｒ４に記録する記録実行対象外の画像データ５を容易に決定することができる。そして、操作者により実際に記録する記録実行対象の画像データ５が入力手段２４から選択入力される（ステップＳ１６）。もちろん、ステップＳ１５で自動的に分類された記録対象の画像データ５が、操作者の確認後、そのまま選択入力されてもよい。
【００６９】
そして、記録手段２８によりステップＳ１６において選択入力された画像データ５がＣＤ−Ｒ４に記録される（ステップＳ１７）。そして、画像データ記録処理が終了される。その後、メモリカードａ，ｂ，ｃがスロット手段３０から取り出され、ＣＤ−Ｒ４が記録手段２８から取り出される。
【００７０】
次に、図５を参照して、画像データ記録処理による分類結果の一例を説明する。図５に示すように、メモリカードａに、指定日時データの所定範囲より前の不要画像データ（記録対象でない画像データ）ａ１と、指定日時データの所定範囲内の必要画像データ（記録対象の画像データ）ａ２と、指定日時データの所定範囲より後の不要画像データａ３とが記録されている。また、メモリカードｂに、指定日時データの所定範囲より前の不要画像データｂ１と、指定日時データの所定範囲内の必要画像データｂ２とが記録されている。また、メモリカードｃに、指定日時データの所定範囲内の必要画像データｃ１が記録されている。
【００７１】
そして、ステップＳ１４において、分類手段２１により、メモリカードａ，ｂ，ｃに記録された画像データが、記録対象の必要画像データａ２，ｂ２，ｃ１と、記録対象でない不要画像データａ１，ｂ１，ｃ２とに分類される。そして、ステップＳ１６において、操作者により、記録実行対象の画像データ５として必要画像データａ２，ｂ２，ｃ１が選択された場合に、ステップＳ１７において、選択された必要画像データａ２，ｂ２，ｃ１がＣＤ−Ｒ４に記録される。
【００７２】
以上、本実施の形態によれば、複数のメモリカードに記録された画像データが、その画像データに付加された撮影日時データを用いて、記録対象の画像データと記録対象でない画像データとに自動的に分類され、記録対象の画像データがＣＤ−Ｒ４に記録される。このため、記録対象の画像データを正確に分類してＣＤ−Ｒ４に記録することができる。従って、記録対象でない画像データを無駄にＣＤ−Ｒに記録することを防ぐことができる。
【００７３】
特に、本実施の形態のように各メモリカードを所有する撮影者が異なる場合に、ある撮影者が他人に見せたくない不必要な画像データは、記録対象でない画像データとすればＣＤ−Ｒ４に記録されないので、その不必要な画像データをＣＤ−Ｒ４の配布先の他の人に見られてしまうことを防ぐことができる。
【００７４】
また、本実施形態のように記録媒体として、記録したデータの消去が不可能なＣＤ−Ｒを用いた際、記録対象でない不必要な画像データがそのＣＤ−Ｒに記録されても、その記録された画像データは更新することができない。その場合に、不必要な画像データが記録されたＣＤ−Ｒを破棄し、別のＣＤ−Ｒに記録しなおさなければならない。よって、本実施の形態は、画像データをＣＤ−Ｒに記録しなおすことが避けられ、ＣＤ−Ｒ、操作者の作業負担及び時間の無駄を軽減することができる。
【００７５】
また、操作者の画像データの分類作業の負担を軽減するので、画像データ記録装置２の利便性を向上し、その利用者の増加を図ることができる。また、操作者の画像データの操作が簡単であるので、操作者の分類作業時間を短縮し、画像データ記録装置２の利用者の回転率を向上させることができる。
【００７６】
また、表示手段２５に記録対象の画像データのみが表示されるので、記録対象でない不必要な画像データの表示を避けることができる。例えば、操作者が複数人いる場合に、所定の操作者の画像群中の記録対象でない画像データが他の操作者に見られることを避け、プライバシーを守ることができる。
【００７７】
また、本実施の形態によれば、自動的に分類された記録対象の画像データから、更に操作者により実際に記録する記録実行対象の画像データが選択される。このため、操作者は、自動的に分類された記録対象の画像データを参照して、容易に記録実行対象の画像データを選択することができる。
【００７８】
なお、本実施の形態では、メモリカードからスロット手段３０を介して画像データを、画像データ記録装置２に入力する構成であるが、これに限るものではない。例えば、ＣＤ−Ｒ、ＤＶＤ、可搬型ＨＤ等の記録媒体に記録された画像群の画像データを入力する構成でもよい。また、接続手段２６に撮影装置を直接接続して、その撮影装置に記憶された画像データを画像データ記録装置２に入力する構成でもよい。更に、通信手段２７及び通信手段２７に接続された通信ネットワークを介して、その通信ネットワーク上の外部機器から画像データを受信して画像データ記録装置２に入力する構成でもよい。
【００７９】
また、本実施の形態では、記録対象（記録実行対象）の画像データの記録先として、可搬型の記録媒体としてのＣＤ−Ｒ４を用いたがこれに限るものではない。例えば、記録対象の画像データの記録先として、固定型の記録媒体を有する固定ＨＤＤ、フラッシュＲＯＭ等の記録媒体に記録する構成でもよい。また、記録媒体に記録された画像データを通信手段２７を介して通信ネットワーク上の外部機器に送信することもできる。
【００８０】
また、本実施の形態では、画像データ５がＥｘｉｆデータ５２を有する構成であり、ステップＳ１４においてＥｘｉｆデータ５２内の撮影日時データを参照して画像データを分類する構成であるが、これに限るものではない。例えば、画像データ５が作成された作成日時を示すタイムスタンプを参照して画像データを分類する構成でもよい。この構成によれば、Ｅｘｉｆ対応で無い撮影手段等により生成された、Ｅｘｉｆデータを含まない画像データも分類することができる。また、画像データの撮影日時データ及び作成日時のタイムスタンプの両方を参照して、画像データの分類を行う構成でもよい。
【００８１】
また、本実施の形態では、ステップＳ１２において操作者に指定日時データを入力させているが、これに限るものではない。操作者に指定日時データの入力を行わせない構成でもよい。例えば、ステップＳ１４において、メモリカードａ，ｂ，ｃに記録された画像データが、各メモリカードａ，ｂ，ｃにそれぞれ記録されて且つその撮影日時データがお互いに所定範囲内である記録対象の画像データと、それ以外の記録対象でない画像データとに自動的に分類される構成でもよい。この場合に、操作者による画像データ分類の入力の負担が軽減される。
【００８２】
また、本実施の形態では、自動的に画像データを分類した後に、ステップＳ１６において更に記録実行対象の画像データを操作者に選択させているが、これに限るものではない。例えば、表示手段２５に表示された記録対象の画像データのＣＤ−Ｒ４への記録実行の承認を操作者に入力させる構成でもよい。この構成では、操作者の画像データ分類のための入力の負担が軽減される。更に、操作者に記録実行対象の画像データの選択及び確認の入力を行わせない構成でもよい。この構成では、操作者の画像データ分類のための入力の負担が更に軽減される。また、この構成では、ステップＳ１５における表示手段２５への記録対象の画像データの表示を省くことができる。
【００８３】
また、本実施の形態では、ステップＳ１５において表示手段２５に記録対象の画像データのみを表示する構成であるが、これに限るものではない。例えば、記録対象の画像データと記録対象でない画像データとの全ての画像データを表示させる構成でもよい。その際、記録対象でない画像データには、その画像イメージが見れないように覆いをかけるような表示としてもよい。また、表示手段２５に記録対象でない画像データのみを表示する構成でもよい。
【００８４】
また、撮影装置及びメモリカードの数は、それぞれ３つに限定されるものではなく、それ以外の複数の数でもよい。また、スロット手段３０にメモリカードを同時にセットできるスロット数も３つに限定されることなく、１又は複数の任意の数でもよい。スロット手段３０に複数のメモリカードを同時にセットできない場合には、複数のメモリカードを１つづつ順にスロット手段３０にセットしていって、その全画像データをＨＤＤ２３に記録してから、ＨＤＤ２３に記憶された画像データについてステップＳ１４の分類処理を行う構成となる。
【００８５】
（変形例）
次に、第１の実施の形態の変形例を説明する。本変形例は、第１の実施の形態の図４に示す画像データ記録処理のステップＳ１４における分類手段２１１による画像データの撮影日時データ等の日時データに基づいて行う分類を他の分類方式で行うものである。
【００８６】
例えば、［従来の技術］に記載した特許文献１〜３に記載の画像データの分類方式を第１の実施の形態に適用する。特許文献１に記載の分類方式を適用すると、画像データ記録処理のステップＳ１２において、画像データを分類するための基準となる基準画像データが、入力手段２４を介して操作者により入力される。そして、ステップＳ１４において、メモリカードａ，ｂ，ｃに記録された画像データ５中の画像実データ５１自体が解析され、画像イメージの色、周波数等の情報等の特徴量が計算され、異なる画像データ同士の特徴量の相対距離が類似度とされる。そして、メモリカードａ，ｂ，ｃに記録された全画像データ５が、ステップＳ１２において入力された基準画像データとの類似度が所定値以上の記録対象の画像データと、類似度が所定値よりも低い記録対象でない画像データとに自動的に分類される。
【００８７】
例えば、記録対象の画像を撮影したイベントが夜中に屋外で行われた場合に、画像イメージの色、周波数等の特徴量に基づいて、画像が暗く夜に撮影された特徴量を有する記録対象の画像データと、画像が明るく夜以外に撮影された特徴量を有する記録対象でない画像データとに分類される。
【００８８】
また、画像実データ５１中の画像イメージ中の撮影日時イメージを解析して、その解析した撮影日時データを特徴量とする構成でもよい。また、ステップＳ１２における操作者による情報の入力を実行しない構成でもよい。例えば、ステップＳ１４において、メモリカードａ，ｂ，ｃに記録された画像データが、各メモリカードａ，ｂ，ｃにそれぞれ記録されて且つ画像データの類似度がお互いに所定値以上である記録対象の画像データと、それ以外の記録対象でない画像データとに自動的に分類される構成でもよい。
【００８９】
なお、特許文献１，２，３の分類方式に限るものではなく、他の方式により画像データの画像イメージを解析して、その解析結果により自動的に分類する構成でもよい。
【００９０】
（第２の実施の形態）
図６〜図８を参照して本発明に係る第２の実施の形態を説明する。図６は、撮影装置１Ｄ，１Ｅ，１Ｆの内部構成を示すブロック図である。図７は、メモリカードｄ，ｅ，ｆに記録される記録データ６の構成を示す図である。本実施の形態は、第１の実施の形態と共通の構成部分が多いので、説明の重複を避けるために、第１の実施の形態と異なる構成部分を主として説明する。
【００９１】
本実施の形態では、図１に示す画像データ記録システムαにおいて、撮影装置１Ａ，１Ｂ，１Ｃに代えて、撮影装置１Ｄ，１Ｅ，１Ｆとし、メモリカードａ，ｂ，ｃに代えて、撮影装置１Ｄ，１Ｅ，１Ｆにより撮影された画像データが記録される第１の記録媒体としてのメモリカードｄ，ｅ，ｆとする。
【００９２】
撮影装置１Ｄ，１Ｅ，１Ｆは、撮影した画像データとともにＤＰＯＦファイルをそれぞれメモリカードｄ，ｅ，ｆに記録する撮影装置である。ＤＯＰＦ（Digital Print Order Format）ファイルとは、プリントしたい画像データを指定する情報及びそのプリント枚数の情報を有するファイルである。
【００９３】
図６に示すように、撮影装置１Ｄ，１Ｅ，１Ｆは、各部の中央制御を行うＣＰＵ１１と、操作者からの入力情報を受付ける入力手段１２と、情報を一時的に格納するＲＡＭ１３と、情報を表示する表示手段１４と、各種プログラム及び各種データを記憶するフラッシュＲＯＭ等のメモリ１５と、各種外部機器等を接続する接続手段１６と、メモリカードｄ，ｅ，ｆがセットされその情報の読み書きを行う記録手段１７と、レンズ及び撮像素子等を有し被写体を撮影して画像データを出力する撮影手段１８とを備え、各部はバス１９により接続される。
【００９４】
メモリ１５は、記録要否データ付加処理を実行するための記録要否データ付加プログラムが記録されている。また、撮影装置１Ｄ，１Ｅ，１Ｆは、ＣＰＵ１１がメモリ１５に記憶された記録要否データ付加プログラムを読み出してＲＡＭ１３に展開して実行することにより、記録要否データ付加処理が実行される。この実行構成において、図６に示すように、記録要否データ付加処理中の画像データに記録要否データを付加する機能を実現する付加手段１１１が、撮影装置１に構成されているものとして説明する。なお、付加手段１１１は、ソフトウェア的に実現される構成であるが、ハードウェアとして搭載される構成でもよい。
【００９５】
次に、図７を参照して、メモリカードｄ，ｅ，ｆに記録される記録データ６の構成を説明する。記録データ６は、ＤＰＯＦファイル６１と、画像データ５ａ，５ｂとを含む。画像データ５ａ，５ｂは、図３に示す画像データ５と同様に、画像実データ５１ａ，５１ｂと、各画像実データに対応するＥｘｉｆデータ５２ａ，５２ｂとを有する。ＤＰＯＦファイル６１には、各画像データがＣＤ−Ｒ４への記録対象であるか否かを示す記録要否データ６２を含む。ＤＰＯＦファイルは一般的に、記録要否データ６２を含まないが、本実施の形態において記録要否データ６２を含むようなデータ構成をとるものとする。
【００９６】
ここで、図８を参照して、撮影装置１Ｄ，１Ｅ，１Ｆの動作としての記録要否データ付加処理を説明する。図８は、記録要否データ付加処理を示すフローチャートである。ここでは、撮影装置１Ｄ及びメモリカードｄでの動作を代表して説明するが、撮影装置１Ｅ，１Ｆ及びメモリカードｅ，ｆでの動作も同様である。
【００９７】
記録要否データ付加処理は、撮影装置１Ｄの操作者から入力手段１２を介して記録要否データ付加処理の実行開始を入力されたことをトリガとして、ＣＰＵ１１は、メモリ１５に記録されている記録要否データ付加プログラムを読み出してＲＡＭ１３に格納して実行することにより実行される。
【００９８】
予め、撮影手段１８により被写体が撮影され、その撮影された画像データ５ａ，５ｂがメモリカードｄに記録されている。そして、操作者により入力手段２３を介して、ＤＰＯＦファイルに記録する記録要否データ又はその他のデータ（例えば、プリントする画像データの指定情報、プリント枚数情報）が入力される（ステップＳ２１）。そして、ステップＳ２１において入力された入力情報が記録要否データであるか否かが判別される（ステップＳ２２）。入力されていない場合（ステップＳ２２；無）、ステップＳ２１に移行される。入力情報が記録要否データである場合（ステップＳ２２；Ｙｅｓ）、ステップＳ２１において入力された記録要否データが、記録手段１７によりメモリカードｄの記録データ６のＤＰＯＦファイル６１中の記録要否データ６２に記録されることにより、画像データ５ａ，５ｂに付加される（ステップＳ２３）。そして、記録要否データ付加処理が終了される。
【００９９】
入力情報が記録要否データでない場合（ステップＳ２２；Ｎｏ）、ステップＳ２１において入力されたその他のデータが、記録手段１７によりメモリカードｄの記録データ６のＤＰＯＦファイル６１に記録される（ステップＳ２４）。そして、記録要否データ付加処理が終了される。
【０１００】
以上のように記録要否データ６２が記録されたメモリカードｄ，ｅ，ｆを用いて、画像データ記録装置２１により、画像データが分類され、記録対象の画像データが第２の記録媒体としてのＣＤ−Ｒ４に記録される。本実施の形態では、図４に示される画像データ記録処理と異なる部分を説明する。先ず、ステップＳ１１においてメモリカードｄ，ｅ，ｆがスロット手段３０にセットされる。また、ステップＳ１２における操作者の入力処理は省かれる。そして、ステップＳ１３においてメモリカードｄ，ｅ，ｆに記録された全画像データ及び記録要否データ６２が読み出される。
【０１０１】
そして、ステップＳ１４において、ステップＳ１３において読み出された記録要否データ６２が参照され、メモリカードｄ，ｅ，ｆに記録された全画像データが、その記録要否データ６２が記録を要することを示す記録対象の画像データと、記録要否データ６２が記録を要しないことを示す記録対象でない画像データとに自動的に分類される。他のステップは、第１の実施の形態と同様である。
【０１０２】
よって、本実施の形態によれば、メモリカードｄ，ｅ，ｆに記録された全画像データが、撮影装置１Ｄ，１Ｅ，１Ｆで付加記録された記録要否データ６２に基づいて、記録対象の画像データと記録対象でない画像データとに分類されて、記録対象の画像データがＣＤ−Ｒ４に記録される。このため、ステップＳ１２における操作者の入力を行うことなく、操作者の入力の負担を軽減して、記録要否データ６２に基づいて画像データを自動的且つ正確に分類して記録対象の画像データをＣＤ−Ｒ４に記録することができる。
【０１０３】
なお、本実施の形態は、予め撮影されてメモリカードに記録された画像データに、記録要否データを付加する構成であるが、これに限るものではない。例えば、被写体の撮影時又は撮影前に、これから撮影する画像データがＣＤ−Ｒへの記録対象とするか否かの旨が、撮影者により入力手段１２から入力される。そして、その入力された旨に応じた記録要否データが、撮影された画像データに付加されて、その付加された画像データがメモリカードに記録される構成でもよい。
【０１０４】
また、本実施の形態は、記録要否データをＤＰＯＦファイル内に記録する構成であるが、これに限るものではなく、他の方式により記録要否データをメモリカードに記録する構成でもよい。
【０１０５】
なお、第１の実施の形態における画像実データに付加された日時データに基づく画像データの分類方式と、その変形例における画像実データの中身を解析した解析結果に基づく画像データの分類方式と、第２の実施の形態における記録要否データに基づく画像データの分類方式とは、それぞれ単独で実行されることに限られない。これらの分類方式のうちの少なくとも２つの分類方式を組合わせる構成であってもよい。
【０１０６】
また、第１の実施の形態、その変形例及び第２の実施の形態においては、静止画の画像データを用いる構成について説明したが、これに限るものではない。画像データとして、動画の画像データを用いる構成としてもよい。また、第１の実施の形態、その変形例及び第２の実施の形態においては、複数の画像群（例えば、メモリカード）それぞれの撮影者は異なるものとして説明したが、同じ撮影者が複数の画像群に含まれる画像データを撮影する構成としてもよい。
【０１０７】
以上、本発明の実施の形態につき説明したが、本発明は、必ずしも上述した手段及び手法にのみ限定されるものではなく、本発明にいう目的を達成し、本発明にいう効果を有する範囲内において適宜に変更実施が可能なものである。
【０１０８】
【発明の効果】
請求項１、８又は１５に記載の発明によれば、複数の画像群内の画像データを、記録対象の画像データと記録対象でない画像データとに分類して、分類された記録対象の画像データを記録媒体に記録する。このため、複数の画像群から記録対象の画像データを自動的に分類して記録媒体に記録することができる。従って、記録対象でない画像データを無駄に記録媒体に記録することを防ぐことができる。また、画像データを自動的に分類するので、画像データの分類作業の負担を軽減し、分類作業時間を短縮することができる。
【０１０９】
請求項２、９又は１６に記載の発明によれば、複数の画像群内の画像データの日時データに基づいて、その複数の画像群内の画像データを、記録対象の画像データと記録対象でない画像データとに分類する。このため、日時データに基づいて記録対象の画像データを正確に分類して記録媒体に記録することができる。
【０１１０】
請求項３、１０又は１７に記載の発明によれば、複数の画像群内の画像データの画像イメージの解析結果に基づいて、その複数の画像群内の画像データを、記録対象の画像データと記録対象でない画像データとに分類する。このため、画像データに情報を付加しなくとも、その画像イメージの解析結果に基づいて記録対象の画像データを正確に分類して記録媒体に記録することができる。
【０１１１】
請求項４、１１又は１８に記載の発明によれば、複数の画像群内の画像データの記録要否データに基づいて、その複数の画像群内の画像データを、記録対象の画像データと記録対象でない画像データとに分類する。このため、記録要否データに基づいて記録対象の画像データを正確に分類して記録媒体に記録することができる。
【０１１２】
請求項５、１２又は１９に記載の発明によれば、分類された記録対象の画像データ及び記録対象でない画像データのいずれか一方又は両方を表示し、その表示された画像データに基づいて記録実行対象の画像データを選択入力させ、その記録実行対象の画像データを記録媒体に記録する。このため、自動的に分類された画像データに基づいて記録実行対象の画像データを容易に選択して記録媒体に記録することができる。
【０１１３】
請求項６、１３又は２０に記載の発明によれば、基準情報を入力させ、その基準情報に基づいて、その複数の画像群内の画像データを、記録対象の画像データと記録対象でない画像データとに分類する。このため、任意に基準情報を入力でき、その基準情報に基づいて記録対象の画像データを記録媒体に記録することができる。
【０１１４】
請求項７、１４又は２１に記載の発明によれば、被写体を撮影し、その撮影された画像データが第２の記録媒体に記録を要するか否かを示す記録要否データを選択入力させ、撮影された画像データに、選択入力された記録要否データを付加し、その記録要否データが付加された画像データを第１の記録媒体に記録する。このため、第１の記録媒体に記録された画像データを分類して第２の記録媒体に記録するにあたり、第１の記録媒体に記録された画像データに付加された記録要否データに基づいて、第１の記録媒体に記録された画像データを、記録対象の画像データと記録対象でない画像データとに正確に分類し、分類された記録対象の画像データを第２の記録媒体に記録することができる。
【図面の簡単な説明】
【図１】本発明の第１の実施の形態の画像データ記録システムαを示す概略図である。
【図２】図１に示す画像データ記録装置２の内部構成を示すブロック図である。
【図３】画像データ５の構成を示す図である。
【図４】画像データ記録処理の流れを示す流れ図である。
【図５】画像データ記録処理の処理結果の一例を示す図である。
【図６】撮影装置１Ｄ，１Ｅ，１Ｆの内部構成を示すブロック図である。
【図７】メモリカードｄ，ｅ，ｆに記録される記録データ６の構成を示す図である。
【図８】記録要否データ付加処理を示すフローチャートである。
【符号の説明】
α…画像データ記録システム
１Ａ，１Ｂ，１Ｃ，１Ｄ，１Ｅ，１Ｆ…撮影装置
ａ，ｂ，ｃ，ｄ，ｅ，ｆ…メモリカード
２…画像データ記録装置
２１，１１…ＣＰＵ
２１１…分類手段
２２，１５…メモリ
２３…ＨＤＤ
２４，１２…入力手段
２５，１４…表示手段
２６，２９，１６…接続手段
２７…通信手段
２８，１７…記録手段
３０…スロット手段
３１…マザーボード
１１１…付加手段
１３…ＲＡＭ
１８…撮影手段
１９…バス
４…ＣＤ−Ｒ
【図１】
2004201113.tif 000003
【図２】
2004201113.tif 000004
【図３】
2004201113.tif 000005
【図４】
2004201113.tif 000006
【図５】
2004201113.tif 000007
【図６】
2004201113.tif 000008
【図７】
2004201113.tif 000009
【図８】
2004201113.tif 000010